(57)【要約】【課題】ユーザーにとっての利便性に優れたファクシミリ装置、およびファクシミリ装置の通信制御方法を提供すること。【解決手段】受信側が手動受信に対応するファクシミリ通信を行うＦＡＸ情報サービス提供装置３からＦＡＸ情報サービスを受けるために、ユーザーが、ＦＡＸ情報サービス提供装置３が手動受信に対応していることを知らずに、または誤って、ＦＡＸポーリング受信開始キーを押下した場合に、指定された手動受信によるファクシミリ通信を試みる。そして、所定時間の間にＤＩＳを受信することがなく、指定された手動受信による通信ができないと判断すると、手動ポーリング受信に設定を変更して手動ポーリング受信の通信手順に従ってファクシミリ通信を行う。【選択図】図２
2009232344.tif 000002
【特許請求の範囲】
【請求項１】
ファクシミリ通信の受信方法として、手動受信または手動ポーリング受信を選択して設定可能なファクシミリ装置であって、
選択された受信方法の通信手順に従うファクシミリ通信を行う通信手段と、
前記設定された受信方法の通信手順に従うファクシミリ通信を行うことができたか否かを判断し、ファクシミリ通信を行うことができないと判断した場合に、前記選択された受信方法と異なる他の受信方法の通信手順に従うファクシミリ通信を前記通信手段に実行させる制御手段と、を備えることを特徴とするファクシミリ装置。
【請求項２】
請求項１に記載のファクシミリ装置において、
前記制御手段は、ファクシミリ通信を開始する指示を受けてから所定時間の間に前記選択された受信方法の通信手順に従う信号を受信したか否かにより、前記通信手段がファクシミリ通信を行うことができたか否かを判断することを特徴とするファクシミリ装置。
【請求項３】
請求項２に記載のファクシミリ装置において、
ファクシミリ通信の受信方法が手動ポーリング受信に選択された場合に、
前記通信手段は、ファクシミリ通信を開始する指示を受けた後に、ＤＩＳの受信を待ち、
前記制御手段は、ファクシミリ通信の開始が指示されてから所定時間の間に前記通信手段がＤＩＳを受信したか否かを判断し、ＤＩＳを受信していなかった場合に、前記手動受信の受信方法の通信手順に従うファクシミリ通信を通信手段に実行させることを特徴とするファクシミリ装置。
【請求項４】
ファクシミリ通信の受信方法として、手動受信または手動ポーリング受信を選択して設定可能なファクシミリ装置の通信制御方法であって、
選択された受信方法の通信手順に従うファクシミリ通信を行う第１の通信ステップと、
前記設定された受信方法の通信手順に従うファクシミリ通信を行うことができたか否かを判断する判断ステップと、
ファクシミリ通信を行うことができないと判断した場合に、前記設定された受信方法と異なる他の受信方法の通信手順に従うファクシミリ通信を行う第２の通信ステップと、を含むことを特徴とするファクシミリ装置の通信制御方法。
【発明の詳細な説明】
【技術分野】
【０００１】
本発明は、手動受信および手動ポーリング受信に対応するファクシミリ装置、およびファクシミリ装置の通信制御方法に関する。
【背景技術】
【０００２】
従来、カタログ等の文書の画像情報を蓄積した装置とファクシミリ通信を行い、受信した画像情報をファクシミリ装置が印刷することにより、ユーザーがカタログ等の文書を手軽に入手できるようにしたＦＡＸ情報サービスが提供されている（例えば、特許文献１参照）。
【０００３】
ここで、ＦＡＸ情報サービスを受ける受信方法としては、手動受信と手動ポーリング受信とがあり、これらの通信手順はＣＣＩＴＴ勧告Ｔ．３０等に規定されている。
【０００４】
手動受信の通信手順では、図５に示すように、受信側の装置が送信側のＦＡＸ情報サービス提供装置に対して発呼し（ステップＳ１０）、送信側と受信側とで音声アナウンス等の必要な通話（ステップＳ１１）を行った後、ＦＡＸ情報サービス提供装置はＤＩＳ（Digital Identification Signal：デジタル識別信号）の受信待ちになる。そして、受信側装置の使用者が、所定のＦＡＸ受信開始キーを押下することによりファクシミリ受信の開始を指示すると（ステップＳ１２）、受信側装置はＤＩＳを送信し（ステップＳ１３）、ＦＡＸ情報サービス提供装置はこのＤＩＳに応答してＤＣＳ（Digital Command Signal：デジタル命令信号）を受信側装置に送信する（ステップＳ１４）。以降、定められた通信手順に従ってファクシミリ通信を行うことにより、受信側装置はＦＡＸ情報サービス提供装置からカタログ等の画像情報を受信して、この画像情報を印刷出力する。
【０００５】
一方、手動ポーリング受信の通信手順では、図６に示すように、受信側装置が送信側のＦＡＸ情報サービス提供装置に対して発呼し（ステップＳ２０）、送信側と受信側とで必要な通話（ステップＳ２１）を行った後に、受信側装置の使用者が、所定のＦＡＸポーリング受信開始キーを押下することによりファクシミリ受信の開始を指示すると（ステップＳ２２）、受信側装置はＤＩＳの受信待ちになる。ＦＡＸ情報サービス提供装置は、通話後の所定のタイミングでＤＩＳをポーリング送信し（ステップＳ２３）、受信側装置はこのＤＩＳに応答してＤＴＣ（Digital Transmit Command：デジタル送信信号）をＦＡＸ情報サービス提供装置に送信する（ステップＳ２４）。以後、受信側装置はＦＡＸ情報サービス提供装置からカタログ等の画像情報を受信して、この画像情報を印刷出力する。
【０００６】
このように、手動受信と手動ポーリング受信とでは、ＤＩＳを送信する装置とＤＩＳの受信待ちとなる装置とが逆の関係になる。通常、ＦＡＸ情報サービス提供装置側が対応する通信手順に応じて、ユーザーが受信側装置の受信方法を適宜選択することにより、ファクシミリ通信が適切に行われることになる。
【０００７】
【特許文献１】特開２００４−１３５１２３号公報
【発明の開示】
【発明が解決しようとする課題】
【０００８】
しかしながら、ユーザーが、受信側装置側で受信方法の設定を誤ってしまった場合、ファクシミリ通信を適切に行うことができなくなってしまうという課題がある。例えば、送信側のＦＡＸ情報サービス提供装置が、受信側に手動送信を想定した通信手順をとるにも関わらずに、受信側では、ユーザーがＦＡＸ受信開始キーを押下すべきことを知らずに、または誤って、ＦＡＸポーリング受信開始キーを押下してしまうことがある。この場合、図７に示すように、受信側装置は、ＦＡＸポーリング受信開始キーの押下後にＤＩＳの受信待ちとなり、送信側であるＦＡＸ情報サービス提供装置についても通話後にＤＩＳの受信待ちとなる。このように、互いにＤＩＳを待ち合う状態となってしまうため、通信手順を先に進めることができずに通信エラーとなって、ファクシミリ通信を行うことができないことがあった。
【課題を解決するための手段】
【０００９】
本発明は、上述の課題の少なくとも一部を解決するためになされたものであり、以下の形態または適用例として実現することが可能である。
【００１０】
［適用例１］ファクシミリ通信の受信方法として、手動受信または手動ポーリング受信を選択して設定可能なファクシミリ装置であって、選択された受信方法の通信手順に従うファクシミリ通信を行う通信手段と、前記設定された受信方法の通信手順に従うファクシミリ通信を行うことができたか否かを判断し、ファクシミリ通信を行うことができないと判断した場合に、前記選択された受信方法と異なる他の受信方法の通信手順に従うファクシミリ通信を前記通信手段に実行させる制御手段と、を備えることを特徴とするファクシミリ装置。
【００１１】
この構成によれば、選択された手動受信または手動ポーリング受信の通信手順によるファクシミリ通信を行うことができなかった場合に、他の受信方法によってファクシミリ通信が行われるので、選択された受信方法と送信側の設定とが対応しなかった場合にもファクシミリ通信を行うことができ、通信エラーとなってファクシミリ通信を行うことができなくなる可能性が低減する。これにより、ユーザーにとっての利便性が向上する。
【００１２】
［適用例２］上記ファクシミリ装置において、前記制御手段は、ファクシミリ通信を開始する指示を受けてから所定時間の間に前記選択された受信方法の通信手順に従う信号を受信したか否かにより、前記通信手段がファクシミリ通信を行うことができたか否かを判断することを特徴とするファクシミリ装置。
【００１３】
この構成によれば、所定時間の間に選択された受信方法の通信手順に従う信号を受信していない場合に、ファクシミリ通信を行うことができなかったと判断されて他の受信方法によるファクシミリ通信が行われるので、選択された受信方法と、送信側の設定とが対応しなかった場合にもファクシミリ通信を行うことができる。
【００１４】
［適用例３］上記ファクシミリ装置において、ファクシミリ通信の受信方法が手動ポーリング受信に選択された場合に、前記通信手段は、ファクシミリ通信を開始する指示を受けた後に、ＤＩＳの受信を待ち、前記制御手段は、ファクシミリ通信の開始が指示されてから所定時間の間に前記通信手段がＤＩＳを受信したか否かを判断し、ＤＩＳを受信していなかった場合に、前記手動受信の受信方法の通信手順に従うファクシミリ通信を通信手段に実行させることを特徴とするファクシミリ装置。
【００１５】
この構成によれば、手動ポーリング受信に設定されている場合、所定時間の間にＤＩＳを受信していないことにより、ファクシミリ通信を行うことができなかったと即座に判断されて他の受信方法によってファクシミリ通信が行われるので、選択された受信方法と、送信側の設定とが対応しなかった場合にもファクシミリ通信を行うことができる。
【００１６】
［適用例４］ファクシミリ通信の受信方法として、手動受信または手動ポーリング受信を選択して設定可能なファクシミリ装置の通信制御方法であって、選択された受信方法の通信手順に従うファクシミリ通信を行う第１の通信ステップと、前記設定された受信方法の通信手順に従うファクシミリ通信を行うことができたか否かを判断する判断ステップと、ファクシミリ通信を行うことができないと判断した場合に、前記設定された受信方法と異なる他の受信方法の通信手順に従うファクシミリ通信を行う第２の通信ステップと、を含むことを特徴とするファクシミリ装置の通信制御方法。
【００１７】
このようにすれば、選択された手動受信または手動ポーリング受信の通信手順によるファクシミリ通信を行うことができなかった場合に、他の受信方法によってファクシミリ通信が行われるので、選択された受信方法と送信側の設定とが対応しなかった場合にもファクシミリ通信を行うことができる。
【発明を実施するための最良の形態】
【００１８】
（第１の実施例）
以下、本発明の実施の形態について実施例に基づいて説明する。
【００１９】
図１は、第１の実施例に係る複合機の構成を示した図である。図１に示すように、ファクシミリ装置の一例である複合機１は、コントローラ（制御手段）１０と、操作パネル２０と、スキャナ３０と、印刷エンジン４０と、ファクシミリ部（通信手段）５０と、を備えている。また、複合機１は、ＬＡＮ等のネットワークを介した外部のコンピュータ２等とのデータ通信、およびファックス回線網を介した他のＦＡＸ情報サービス提供装置３等とのファクシミリ通信が可能に構成されている。以下、複合機１の各構成について説明する。
【００２０】
コントローラ１０は、複合機１の各部の動作を制御する制御装置であり、ＣＰＵ１１と、ＲＯＭ１２と、ＲＡＭ１３と、ハードディスクドライブ（以下、「ＨＤ」という）１４と、ネットワークＩ／Ｆ１５と、ファクシミリＩ／Ｆ１６と、パネルＩ／Ｆ１７と、スキャナＩ／Ｆ１８と、エンジンＩ／Ｆ１９と、を備えている。また、これらの各構成は内部バスを介して相互に接続されている。
【００２１】
ＣＰＵ１１は、コントローラ１０の主制御装置であり、ＲＡＭ１３を作業領域等として用い、ＲＯＭ１２またはＨＤ１４に格納された各種のプログラムを実行することにより、スキャナ３０に読取指示を出す処理、印刷エンジン４０に印刷指示を出すと共に印刷用のデータを受け渡す処理、ファクシミリ部５０によるファクシミリ通信を制御する処理等、複合機１における様々な制御を行う。特に、ＣＰＵ１１は、ファクシミリ受信を行う際に、ユーザー操作に応じて手動受信と手動ポーリング受信のうちいずれかの受信方法を選択する処理や、選択された受信方法に従うファクシミリ受信を行うようファクシミリ部５０に指示する処理等を行う。
【００２２】
ネットワークＩ／Ｆ１５は、ネットワークに接続するインターフェイスであり、複合機１は、ネットワークＩ／Ｆ１５を介してネットワークに接続することにより、外部のコンピュータ２等と通信可能に接続される。ファクシミリＩ／Ｆ１６はファクシミリ部５０と接続されるインターフェイスであり、パネルＩ／Ｆ１７は操作パネル２０に接続するインターフェイス、スキャナＩ／Ｆ１８はスキャナ３０に接続するインターフェイス、エンジンＩ／Ｆ１９は印刷エンジン４０に接続するインターフェイスである。
【００２３】
ファクシミリ部５０は、ファックス回線網を介してファクシミリ通信を行うための部分であり、コントローラ１０からの制御の下で、送信対象とする画像データを符号化してファクシミリ通信用のファクシミリデータを生成する処理、ＣＣＩＴＴ勧告Ｔ．３０等に規定された通信手順に従ってファクシミリデータの送信および受信等のファクシミリ通信を行う処理、受信したファクシミリデータの逆符号化を行って画像データを取得する処理等を行う。
【００２４】
操作パネル２０は、この複合機１の前に立つユーザーが複合機１を操作するために設けられたパネルであり、ユーザー操作等を受けるためのキー入力装置２１と、表示装置２２と、を有している。ユーザーは、表示装置２２に表示される画面に従ってキー入力装置２１を操作することにより、ファックス送受信等の指示を入力することや、複合機１の様々な設定を変更することができる。また、キー入力装置２１には、手動受信の開始を指示するためのＦＡＸ受信開始キーや、手動ポーリング受信の開始を指示するためのＦＡＸポーリング受信開始キーが含まれている。なお、操作パネル２０は、キー入力装置２１としての機能と表示装置２２としての機能とを併せ持つタッチパネルを有する構成としてもよい。
【００２５】
スキャナ３０は、原稿台にセットされた原稿を読み取って、原稿のイメージデータを生成するためのハードウェア部である。スキャナ３０が原稿を読み取ることによって生成されたイメージデータはコントローラ１０に受け渡されて、ＲＡＭ１３またはＨＤ１４に格納される。なお、スキャナ３０としては、複数枚の原稿がセットされた場合に、この原稿を１枚ずつ原稿台に自動的に送出する自動原稿送出装置（ＡＤＦ：Auto Document Feeder）を設けた構成としてもよい。
【００２６】
印刷エンジン４０は、例えば、複合機１の内部で生成された印刷データや、コンピュータ２から受信した印刷データに基づいて、印刷用紙等の印刷媒体に印刷を行うハードウェア部であり、コントローラ１０から受け取る印刷データに従って印刷を行う。
【００２７】
以上に説明した複合機１では、スキャナ３０がイメージデータを生成し、このイメージデータに基づいて生成された印刷データに従って印刷エンジン４０が印刷を実行することにより、コピー機能が実現される。また、ネットワークを介して他のコンピュータ２から送信された印刷データを受信し、この受信した印刷データに従って印刷エンジン４０が印刷を実行することにより、プリンタ機能が実現される。そして、ファックス回線網を介して他のＦＡＸ情報サービス提供装置３から送信されたファックシミリデータを受信し、この受信したファクシミリデータから生成される印刷データに従って印刷エンジン４０が印刷を実行することにより、ファックス機能のうちのファックス受信機能が実現される。また、スキャナ３０がイメージデータを生成し、このイメージデータに基づいて生成されたファクシミリデータを、ファックス回線網を介して他のＦＡＸ情報サービス提供装置３に送信することにより、ファックス機能のうちのファックス送信機能が実現される。
【００２８】
ここで、ＦＡＸ情報サービス提供装置３からＦＡＸ情報サービスの提供を受ける際に行われる処理について、図２のシーケンス図および図３のフローチャートに従って説明する。なお、本実施例では、ＦＡＸ情報サービス提供装置３は、受信側装置が手動受信を行うことを想定した設定になっているものとして説明する。
【００２９】
ＦＡＸ情報サービスを受けるためには、図２に示すように、ユーザーは複合機１に備わる受話器またはオンフック機能によりＦＡＸ情報サービス提供装置３に対して発呼し、受信側と送信側とで必要な通話を行う。例えば、ＦＡＸ情報サービスから製品カタログを入手しようとする場合、ＦＡＸ情報サービス提供装置３からの音声アナウンスに従って、所望する製品カタログに該当する番号をキー入力装置２１により入力することによって、ＦＡＸ情報サービス提供装置３に対して入手しようとする文書を指定する。通話後に、ユーザーがＦＡＸ受信開始キーを押下した場合、図５に示したように、ＦＡＸ情報サービス提供装置３との間で手動受信の通信手順に従うファクシミリ通信が適切に行われて、文書を入手することができる。以下では、ユーザーが、ＦＡＸ受信開始キーとＦＡＸポーリング受信開始キーとのうちから、ＦＡＸポーリング受信開始キーを選択して押下した場合の処理について説明する。
【００３０】
キー入力装置２１のＦＡＸポーリング受信開始キーが押下されると、コントローラ１０はファクシミリ部５０に対して手動ポーリング受信の指示を出し、図３のフローチャートに示す処理を開始する。処理を開始すると、ファクシミリ部５０はＦＡＸポーリング受信に従う通信を開始して（ステップＳ１００）、ＤＩＳ（Digital Identification Signal：デジタル識別信号）の受信待ちとなる。そして、ファクシミリ部５０はＤＩＳを受信したか否かを判断する（ステップＳ１１０）。ＤＩＳを受信していなければ（ステップＳ１１０：Ｎｏ）、ＦＡＸポーリング受信開始キーが押下されてから所定時間が経過したか否かを判断し（ステップＳ１３０）、所定時間が経過していなければ（ステップＳ１３０：Ｎｏ）、ステップＳ１１０に戻る。こうして、ＤＩＳを受信するまでステップＳ１１０，Ｓ１３０の処理を繰り返して、ＤＩＳの受信を待ち続ける。
【００３１】
本実施例では、ＦＡＸ情報サービス提供装置３が受信側装置に手動受信を想定しており、ＤＩＳはファクシミリ部５０が送信すべきものであるので、ファクシミリ部５０がＦＡＸ情報サービス提供装置３からＤＩＳを受信することがない。そこで、ＦＡＸポーリング受信開始キーが押下されてから所定時間が経過すると（ステップＳ１３０：Ｙｅｓ）、ファクシミリ部５０はコントローラ１０にＤＩＳを受信できなかった旨を通知する。これにより、コントローラ１０は、ＦＡＸ情報サービス提供装置３が手動ポーリング受信に対応するものではないと判断して、ファクシミリ部５０に対して手動受信の指示を出す。ファクシミリ部５０は、この指示に従って手動受信の通信手順に従うファクシミリ通信に切り替える（ステップＳ１４０）。なお、既にＦＡＸポーリング受信開始キーが押下されてファクシミリ通信の開始が指示されているので、ここでは、手動受信におけるＦＡＸ受信開始キーの押下は既に行われているものとして扱い、ＦＡＸ受信開始キー押下後についての手動受信の処理を行う。
【００３２】
手動受信のファクシミリ通信に切り替わると、図２に示すように、ファクシミリ部５０はＤＩＳをＦＡＸ情報サービス提供装置３に送信する。以降、手動受信の通信手順に従ってＦＡＸ情報サービス提供装置３とのファクシミリ通信が行われる。すなわち、ＦＡＸ情報サービス提供装置３は、受信したＤＩＳに応答してＤＣＳ（Digital Command Signal：デジタル命令信号）、ＴＣＦ（Training Check Function：トレーニングチェック）を受信側装置に送信し、受信側装置である複合機１はＴＣＦに応答して、ＣＦＲ（ConFirmation to Receive：受信標準確認）を送信する。このように、受信側装置と送信側装置の間で手動受信の通信手順に従うファクシミリ通信を行うことにより、複合機１は、指定した文書の画像情報をＦＡＸ情報サービス提供装置３から取得して、取得した文書を印刷エンジン４０により印刷出力する。
【００３３】
なお、本実施例では、ＦＡＸ情報サービス提供装置３が受信側装置に手動受信を想定しているが、送信側のＦＡＸ情報サービス提供装置３が、受信側装置に手動ポーリング受信を想定した通信を行う場合であれば、ＦＡＸ情報サービス提供装置３が送信したＤＩＳをファクシミリ部５０が受信して（ステップＳ１１０：Ｙｅｓ）、以降は、手動ポーリング受信の通信手順に従ってファクシミリ通信を行う（ステップＳ１２０）。これにより、指定した文書の画像情報をＦＡＸ情報サービス提供装置３から取得して、取得した文書を印刷エンジン４０により印刷出力する。
【００３４】
また、ステップＳ１００の処理が第１の通信ステップ、ステップＳ１１０およびステップＳ１３０の処理が判断ステップ、ステップＳ１４０の処理が第２の通信ステップに相当する。
【００３５】
以上に述べたように、第１の実施例の複合機１では、ユーザーがＦＡＸポーリング受信開始キーを押下することによって手動ポーリング受信が選択されると、手動ポーリング受信のファクシミリ通信を試み、所定時間の間にＤＩＳを受信することがなく、指定された手動ポーリング受信による通信ができないと判断されると、以降は、手動受信の通信手順に従ってファクシミリ通信が行われる。これにより、例えば、ユーザーが、ＦＡＸ情報サービス提供装置３が受信側に手動受信を想定していることを知らずに、または誤って、ＦＡＸポーリング受信開始キーを押下した場合であっても、ＦＡＸ情報サービス提供装置３からＦＡＸ情報サービスの提供を受けることができる。ユーザーにとっては、ＦＡＸ情報サービスをより簡単に受けることができるようになって、利便性が向上する。
【００３６】
（第２の実施例）
第１の実施例は、ＦＡＸ情報サービス提供装置３が、受信側に手動受信を想定した通信手順のファクシミリ通信を行う場合について説明したが、第２の実施例では、ＦＡＸ情報サービス提供装置３が、受信側に手動ポーリング受信を想定した通信を行う場合について説明する。
【００３７】
第２の実施例では、図４に示すように、ユーザーは複合機１に備わる受話器またはオンフック機能によりＦＡＸ情報サービス提供装置３に発呼し、受信側と送信側とで必要な通話を行う。通話後、ユーザーによってＦＡＸ受信開始キーが押下されると、受信側装置である複合機１は、ＤＩＳをＦＡＸ情報サービス提供装置３に送信してから、ＤＣＳの受信待ちになる。一方、ＦＡＸ情報サービス提供装置３はＤＩＳを受信側装置に送信してからＤＴＣの受信待ちとなり、互いに受信待ち状態となってしまう。そこで、受信側装置である複合機１は、ＦＡＸ受信開始キーを押下後の所定時間の間、ＤＣＳを受信していないことを検知すると、手動ポーリング受信の通信手順に変更してＤＩＳの受信待ちとする。そして、ＦＡＸ情報サービス提供装置３がポーリング送信により定期的に発信するＤＩＳに応答してＤＴＣを送信し、以後、手動ポーリング受信の通信手順に従ってファクシミリ通信が行われる。
【００３８】
第２の実施例によれば、受信側に手動ポーリング受信を想定したファクシミリ通信を行うＦＡＸ情報サービス提供装置３からＦＡＸ情報サービスを受けるために、ユーザーが、ＦＡＸ情報サービス提供装置３が手動ポーリング受信に対応していることを知らずに、または誤って、ＦＡＸ受信開始キーを押下した場合であっても、ＦＡＸ情報サービス提供装置３からＦＡＸ情報サービスを受けることができる。
【００３９】
以上、第１の実施例および第２の実施例について説明したが、以下の変形例としてもよい。
【００４０】
（変形例１）上記第１の実施例および第２の実施例では、コントローラ１０がファクシミリ部５０に対して受信方法を指定して、所定時間の間に、指定した受信方法による通信ができなかった場合に、手動受信と手動ポーリング受信のうち設定された受信方法とは他の受信方法によりファクシミリ通信に切り替えるように制御したが、これらの制御をファクシミリ部５０の内部で行うようにしてもよい。すなわち、ファクシミリ部５０が制御手段および通信手段としての機能を有し、手動ポーリング受信に従うファクシミリ通信を行う際、所定時間の間にＤＩＳの受信がないと判断すると、ファクシミリ部５０が手動受信の通信手順に従ってファクシミリ通信を行うようにしてもよい。
【００４１】
（変形例２）上記実施例では、ファクシミリ機能、プリンタ機能、スキャナ機能等を有する複合機１を例にして説明したが、ファクシミリ装置としてはこれに限られることなく、ファクシミリ機能の単機能のみを有したファクシミリであってもよい。
【図面の簡単な説明】
【００４２】
【図１】第１の実施例に係る複合機の構成を示した図。
【図２】手動ポーリング受信を指定したときに複合機が行うファクシミリ通信の通信手順を示したシーケンス図。
【図３】ＦＡＸポーリング受信開始キー押下後の処理の流れを示した図。
【図４】第２の実施例に係るファクシミリ通信の通信タイミングを示したタイミングチャート。
【図５】従来の手動受信における通信手順を示したシーケンス図。
【図６】従来の手動ポーリング受信における通信手順を示したシーケンス図。
【図７】通信エラーを説明する図。
【符号の説明】
【００４３】
１…ファクシミリ装置としての複合機、２…コンピュータ、３…ＦＡＸ情報サービス提供装置、１０…制御手段としてのコントローラ、１１…ＣＰＵ、１２…ＲＯＭ、１３…ＲＡＭ、１４…ハードディスク、１５…ネットワークＩ／Ｆ、１６…ファクシミリＩ／Ｆ、１７…パネルＩ／Ｆ、１８…スキャナＩ／Ｆ、１９…エンジンＩ／Ｆ、２０…操作パネル、２１…キー入力装置、２２…表示装置、３０…スキャナ、４０…印刷エンジン、５０…通信手段としてのファクシミリ部。
【図１】
2009232344.tif 000003
【図２】
2009232344.tif 000004
【図３】
2009232344.tif 000005
【図４】
2009232344.tif 000006
【図５】
2009232344.tif 000007
【図６】
2009232344.tif 000008
【図７】
2009232344.tif 000009